(57)【特許請求の範囲】
【請求項１】
安全ベルトの末端連結部品への固定用として用いられるクイックアクションクロージャにおいて、
クロージャハウジングと；
前記クロージャハウジング内で、ロック位置と解放位置との間で移動可能に配置されたロック要素と；
前記クロージャハウジングに挿脱可能に構成され、前記ロック要素によって、クロージャハウジング内でロック可能な差込み舌部と；を備え、
前記ロック要素は、前記クロージャハウジングに別部品としての作動要素を挿入することのみによって、ロック位置から解放位置へ移動可能であり、
前記クロージャハウジング（１１）内において、自己の重心（３５）で安全位置と休止位置との間で回転可能に取り付けられた安全要素（２１）を更に備え、
前記安全要素は、安全位置にあるときには、前記ロック要素（２０）をロック位置に固定し、休止位置にあるときには、前記ロック要素（２０）を解放し、
前記安全要素（２１）は、ばね（２５）の作用によって安全位置に保持される構造であり、
前記ばね（２５）は、一方の端部（２６）が前記差込み舌部（１６）の移動経路の中へ延び、他方の端部が前記安全要素（２１）に作用する、２つの自由端部（２６、２７）で形成されたねじりばねとして設計され、
前記安全要素（２１）は、前記ねじりばね（２５）のうち前記指定された端部（２７）を収容するチャネル（２８）を備えており、
前記クロージャハウジング（１１）に挿入、係止される前記差込み舌部（１６）によって張力をかけられた前記ばね（２５）が、前記安全要素（２１）を前記安全要素の安全位置に保持するように配置され、
前記安全要素（２１）は、前記ロック要素（２０）を前記安全位置に固定する保持ストップ（２２）と、前記クロージャハウジング（１１）に導入される前記作動要素（２９）のための作動ストップ（２３）とを備えていることを特徴とするクイックアクションクロージャ。
【請求項２】
前記回転可能に配置された安全要素（２１）には、前記安全要素（２１）の作動ストップ（２３）を形成するために、半径方向の切り欠き部（２４）が設けられ、この切り欠き部は、前記作動ストップ（２３）が、前記差込み舌部（１６）の挿入方向に前記クロージャハウジング（１１）に挿入可能な前記作動要素（２９）によって、前記安全要素（２１）の前記安全位置において作用できるように配置されていることを特徴とする、請求項１に記載のクイックアクションクロージャ。
【請求項３】
前記安全要素（２１）は、前記半径方向の切り欠き部（２４）に対して設計された質量バランスを備えていることを特徴とする、請求項２に記載のクイックアクションクロージャ。
【請求項４】
前記安全要素（２１）の前記質量バランスは、前記安全要素（２１）の前記切り欠き部（２４）に対して回転対称に設けられた反対の切り欠き部によって形成されていることを特徴とする、請求項３に記載のクイックアクションクロージャ。
【請求項５】
前記クロージャハウジング（１１）は、前記差込み舌部（１６）の前記挿入経路の横方向の境界を決める２枚のハウジングプレート（１２）と、前記ハウジングプレート（１２）を接続するウェブ（１３）とを備えたＵ字形で設計されていることと、
前記差込み舌部（１６）は、ウェブ（１３）から離れる方向に向く側には、前記ロック要素（２０）を係合するための係止凹部（１９）を有し、前記クロージャハウジング（１１）の背面側が前記係止凹部（１９）の反対側に位置する状態で、前記クロージャハウジング（１１）の前記ウェブ（１３）に接して前記係止位置に静止することを特徴とする、請求項１乃至４のいずれか一項に記載のクイックアクションクロージャ。
【請求項６】
前記作動要素（２９）は２つのフォーク（３０，３１）を備えたフォーク形ツールとして設計されており、一方のフォーク（３０）は、前記作動要素（２９）が前記クロージャハウジング（１１）に挿入されると、前記安全要素（２１）の前記作動ストップ（２３）の方向へ向き、他方のフォーク（３１）は前記ロック要素（２０）を、前記係止位置から前記解放位置へ移動させる方向に作用することを特徴とする、請求項１乃至５のいずれか一項に記載のクイックアクションクロージャ。
【請求項７】
前記作動要素（２９）の前記フォーク（３０，３１）の移動経路はそれぞれ、前記安全要素（２１）の前記回転軸の異なった側に配置されていることと、前記安全要素（２１）が安全位置から休止位置へ移動する回転方向と、前記ロック要素（２０）が係止位置から解放位置へ移動する回転方向とが反対になるように向けられていることを特徴とする、請求項６に記載のクイックアクションクロージャ。
【請求項８】
前記作動要素（２９）の前記フォーク（３０，３１）が異なる長さを有するので、前記作動要素（２９）が前記クロージャハウジング（１１）に挿入されると、前記一方のフォーク（３０）がまず前記安全要素（２１）の前記作動ストップ（２３）に作用して、前記安全要素（２１）を休止位置へ回転させ、次に、前記他方のフォーク（３１）が、前記ロック要素（２０）を持ち上げ、それを解放位置へ移動させることを特徴とする、請求項６又は７に記載のクイックアクションクロージャ。
【請求項９】
前記差込み舌部（１６）は、前記ベルトバンドに接続される末端部品を形成することと、前記クロージャハウジング（１１）は、前記末端部品固定具またはホルダまたはベルトストラップに至るケーブル（１４）に接続されていることとを特徴とする、請求項１乃至８のいずれか一項に記載のクイックアクションクロージャ。
【請求項１０】
前記ロック要素（２０）は、前記クロージャハウジング（１１）の前記横方向のハウジングプレート（１２）に垂直に配置された軸回りに回転移動するように置かれていることを特徴とする、請求項１乃至９のいずれか一項に記載のクイックアクションクロージャ。
【請求項１１】
前記ロック要素（２０）は、前記クロージャハウジング（１１）の前記横方向のハウジングプレート（１２）と平行な平面内で旋回するように配置されていることを特徴とする、請求項１乃至１０のいずれか一項に記載のクイックアクションクロージャ。
【請求項１２】
前記安全要素（２１）と前記ばね（２５）から形成される質量体の重心（３５）は、前記安全要素（２１）の回転中心内に置かれることを特徴とする、請求項１乃至１１のいずれか一項に記載のクイックアクションクロージャ。
【発明の詳細な説明】
【技術分野】
【０００１】
本発明は、安全ベルトの末端連結部材(End Fitting)用の急動作クロージャ(closure)に関する。急動作クロージャは、クロージャハウジングに挿入可能であり、係止位置と解放位置との間で移動可能に配置されるロック要素によって内部に係止できる差込み舌部を備え、ロック要素は、クロージャハウジングに挿入可能な作動要素によって、係止位置から解放位置へ移動できる。
【背景技術】
【０００２】
上記の特徴を備えた急動作クロージャが、独国特許第１０２４５８１８Ａ１号公報の明細書に記載されている。このような急動作クロージャは、急動作クロージャに適用可能な作動ツールによって、差込み舌部のロック要素を解放位置へ移動させる可能性を生じ、それゆえに、急動作クロージャを直接、信頼性の高い方法で解放することに関係する。特に、このような急動作クロージャが末端連結部材固定具に用いられる場合、急動作クロージャを、その長手方向に対応する動作方向において、耐衝撃性を備えるように設計する必要がある。
【０００３】
既知の急動作クロージャでは、ロック要素は、対称的に構成された２つのトング要素を備える。トング要素は、差込み舌部の挿入方向に対して直角に移動し、係止位置では、差込み舌部の広がった頭部の後ろで横方向に係合する。トング要素は、常にトング要素を係止位置に移動させようとする、ばねの作用を受けている。トング要素が対称的な構成であるために、トング要素は、実際には、加速−中立モードで作動するが、既知の急動作クロージャでは、差込み舌部を挿入している間、および適用された作動要素によってトング要素を押し離している間の両方の場合において、ばねの作用に打ち勝たなければならないが、安全上の理由で、後者の場合は適切な強度に設計して、差込み舌部をクロージャハウジングに確実に固定することを保証しなければならない、という欠点が依然として存在する。
【先行技術文献】
【特許文献】
【０００４】
【特許文献１】独国特許第１０２４５８１８Ａ１号公報
【発明の概要】
【発明が解決しようとする課題】
【０００５】
本発明の根底にある課題は、一方では、差込み舌部を簡単に挿入し、取り外すことができ、同時に、耐衝撃性を備えるように設計される、一般的な特徴を備えた急動作クロージャを利用可能にすることである。
【課題を解決するための手段】
【０００６】
本発明の有利な構成と発展形態を含むこの課題の解決法は、本明細書に続く特許請求の範囲の内容から明らかになろう。
【０００７】
基本的な考えでは、本発明では、安全要素は、クロージャハウジング内において、自己の重心で安全位置と休止位置との間で回転可能に取り付けられ、安全位置にあるときには、係止位置ロック位置にあるロック要素を固定し、休止位置にあるときには、ロック要素を解放し、安全要素は、ばねの作用によって安全位置に保持される。ロック要素を係止位置で固定し、同時に急動作クロージャを耐衝撃性を備えるようにするために、本発明による安全要素は、安全要素の重心に対応する回転軸回りで回転可能にされている。したがって、安全要素は、直線加速力が生じたときに、回転モーメントを受けないので、安全要素は、自動運動することがなく、常に安全位置にあり続け、そこで、安全要素がばね作用によってさらに強く固定される。
【０００８】
ばね作用を加えるために、本発明の実施形態の一例によると、ばねは、一方の端部が差込み舌部の移動経路の中へ延び、他方の端部が安全要素に作用する、２つの自由端部で形成されたねじりばねとして設計される。それによって、ばねを安全要素に確実に接続するために、安全要素がねじりばねのうち指定された端部を収容する溝を備えるようにすることができる。
【０００９】
本発明の実施形態の一例によると、ばねは、クロージャハウジングに挿入され係止される、差込み舌部によって張力をかけられたばねが、安全位置で安全要素を保持するように配置される。
【００１０】
差込み舌部の係止の解除に関しては、本発明の実施形態の一例によると、安全要素は、ロック要素を安全位置に固定する安全要素の保持ストップに加えて、クロージャハウジングに導入される作動要素のための作動ストップを備えるようにされている。この点に関しては、これは、ばね作用を受けていないロック要素が容易に解放されるために、作動要素の作用によって、安全要素のみを安全位置から引き戻すだけでよいという利点を伴う。
【００１１】
作動ストップを形成するために、回転可能に配置された安全要素に、半径方向の切り欠き部を設けるようにすることができる。切り欠き部は、作動ストップが、差込み舌部の挿入方向においてクロージャハウジングに挿入できる作動要素によって、安全要素の安全位置において作用できるように配置されている。
【００１２】
切り欠き部を設けたとしても、安全要素の重心を回転軸と確実に一致させるために、安全要素には、半径方向の切り欠き部に対して設計された質量バランスを備えるようにされている。このような質量バランスは、例えば、回転対称的に対応して設けられた別の切り欠き部によって形成可能である。
【００１３】
本発明の実施形態の一例によると、クロージャハウジングは、差込み舌部の挿入経路の横方向の境界を決める２枚のハウジングプレートと、ハウジングプレートを接続するウェブとを備えたＵ字状に設計されてもよく、また、差込み舌部は、ウェブから離れる方向に向く側には、ロック要素を係合するための係止凹部を有し、差込み舌部の背面側が係止凹部の反対に位置する状態で、差込み舌部は、ハウジングのウェブに接して係止位置に静止するようにされてもよい。
【００１４】
本発明の実施形態の一例によると、作動要素は、２本のフォークを備えたフォーク形状のツールとして設計されている。そのうちの一方のフォークは、作動要素がクロージャハウジング内に挿入されると、安全要素の作動ストップの方向へ向き、他方のフォークはロック要素を、係止位置から解放位置へ移動させる方向に作用する。さらに、作動要素のフォークの移動経路がそれぞれ、安全要素の回転軸の異なった側に配置され、安全要素が安全位置から休止位置へ移動する回転方向と、ロック要素が係止位置から解放位置へ移動する回転方向とが、反対に向くようにすることができる。
【００１５】
詳細には、本発明の実施形態の一例によると、さらに、作動要素のフォークの長さが異なるようにされてもよい。その結果、作動要素がクロージャ筐体に挿入されると、一方のフォークがまず安全要素の作動係止部に作用し、安全要素をその休止位置へ回転させ、次に、他方のフォークがロック要素を持ち上げ、ロック要素を解放位置へ移動させる。
【００１６】
急動作クロージャを安全ベルトシステムに組み込むために、本発明の実施形態の一例によると、差込み舌部が、ベルトバンドに接続される末端連結部材を形成し、クロージャハウジングが末端連結部材固定具に至るケーブルに接続されるようになっている。あるいは、クロージャハウジングが、ホルダまたはベルトストラップに接続されるようにしてもよい。
【００１７】
本発明の実施形態によると、ロック要素は、クロージャハウジングの横方向のハウジングプレートに垂直に配置された軸回りに回転運動するようにして置かれてもよい。これにより、本発明の実施形態によると、ロック要素が、クロージャハウジングの横方向のハウジングプレートと平行な平面内で、クロージャの長手方向に回転運動するようにして配置されていてもよい。
【００１８】
安全要素とばねから形成される質量体の重心が、安全要素の回転中心内に置かれるようにしてもよい。
【００１９】
本発明の実施形態の一例を図面で示し、以下に説明する。
【図面の簡単な説明】
【００２０】
【図１】差込み舌部をクロージャハウジングに挿入開始する際の、急動作クロージャの概略的な側面図を示している。
【図２】差込み舌部の係止位置に到達する直前の、図１による急動作クロージャを示している。
【図３】差込み舌部の係止位置における、図１および図２による急動作クロージャを示している。
【図４】クロージャハウジングに挿入される作動要素によって開始される解放過程の間の、図１〜図３による急動作クロージャを示している。
【図５】図４に従って挿入され、作動要素として用いられるツールを、詳細図で示している。
【発明を実施するための形態】
【００２１】
まず図１から明らかなように、急動作クロージャ１０は、Ｕ字形のクロージャハウジング１１を備えている。Ｕ字形のクロージャハウジングの横方向のハウジングプレート１２は、ウェブ１３を介して接続され、それらの間に、差込み舌部１６用の挿入経路を形成している。クロージャハウジング１１の一方の（左側）端部では、クロージャハウジング１１は、好ましくは末端連結部材固定具に至るケーブル１４に、固定金具１５を介して接続されている。他方の（右手）側からクロージャハウジング１１に挿入できる差込み舌部１６は、その外側端部に、安全ベルトバンドを接続するためのはと目穴１７を有する。
【００２２】
差込み舌部１６がクロージャハウジング１１に挿入されるとき、ウェブ１３の上を摺動する、差込み舌部１６の背面側１８の反対側に位置して、差込み舌部１６の上には、係止凹部１９が配置されている。この係止凹部１９内には、クロージャハウジング１１に回転するように取り付けられた板状のロック要素２０が回転して入ることができ、それによって、ロック要素２０は、図１で示された解放位置から反時計回りに回転する。その結果、図３で示されるように、差込み舌部１６に対向する板状のロック要素２０の（右側）端部が持ち上がり、同時に、他方の（左側）端部が、差込み舌部１６の係止凹部１９へ入り込み、差込み舌部１６を係止する。
【００２３】
ロック要素２０を係止位置に固定し、同時に、クロージャの長手方向に生じる加速力に対して急動作クロージャ１０を耐衝撃性を備えるようにするには、安全要素２１がクロージャハウジング１１に回転可能に取り付けられ、それによって、安全要素２１によって形成される質量体と後述するばね２５との重心３５が、同時に、図１および図２から見られる休止位置と図３で見られる安全位置との間で、安全要素２１を回転させるための回転点を形成する。しかし、これは、安全要素２１の重心３５が、安全要素２１の回転に対する回転中心の決められた範囲に入っている場合にのみ、十分となるであろう。安全要素２１は保持係止部２２を有し、この保持係合部２２は、係止位置で、板状のロック要素２０をおおうように係合し、固定する。切り欠き部２４を設けることによって、安全要素２１上に作動ストップ２３もまた形成される。この作動ストップ２３は、安全要素２１の安全位置において（図３）、溝内へ延びる。この溝は差込み舌部１６と平行に走り、溝内にツール状の作動要素２９を挿入して、安全要素２１を解放することができる。
【００２４】
クロージャハウジングには、２つの自由端部２６、２７を備えた、ねじりばねの形状のばね２５がまた配置されている。ばね２５のうちクランク状に曲げられた一方の端部２６は、差込み舌部１６の移動経路内へ延びているため、ばね端部２６は、差込み舌部１６から作用を受ける。ばね２５の他方の端部２７は、安全要素２１上に形成された溝２８に押し込まれているため、ばね端部２７と安全要素２１とが直接連結することになる。
【００２５】
例えば、一般的な独国特許第１０２４５８１８Ａ１号明細書に記載された安全ベルトシステムを一体に連結するために、差込み舌部１６はクロージャハウジング１１に押し込まれる。前端部を有する差込み舌部１６が、ここで、ばね２５の端部２６を押し付けて止まり、これにより、ばね２５に張力を加える。同時に、差込み舌部１６の面取りされた先端縁が、差込み舌部１６の内側縁部で板状のロック要素２０を持ち上げる。この内側縁部が差込み舌部１６内に形成された係止凹部１９に到達するとすぐに、一方では、ロック要素２０が回転して係止凹部１９内に入り、それによって、同時に、差込み舌部１６のクロージャハウジング１１内への挿入移動によって張力のかかったばね２５が、ばね端部２７を介して安全要素２１を時計回りに回転させる。表面３６が安全要素２１上に置かれ、これにより、安全要素２１の回転の結果として、ロック要素２０の係止位置への回転運動が、係止凹部１９内に導かれる。係止経路の端部では、安全要素２１および／または表面３６の保持ストップ２２が、ロック要素２０を押し付ける状態を維持し、この結果、ロック要素２０が解放位置へ移動するのを防ぐ。この係止位置では、安全要素２１は、差込み舌部１６によって張力をかけられたばね２５の作用を受け続ける（図３）。
【００２６】
本発明によると、安全要素２１の場合は、回転軸は質量中心３５と一致するので、長手方向にクロージャハウジング２１に作用する加速力の存在下で、回転モーメントは生じない。その結果、ばね２５の力に対抗して安全要素２１が自動的に動くことが回避され、この結果、急動作クロージャ１０がロック状態に保持される。
【００２７】
このような急動作クロージャ１０が作動要素によって開放される場合には、図５に示される作動要素２９が設けられる。作動要素２９は、上側フォーク３０と下側フォーク３１とを有するフォーク形状に形成され、上側フォーク３０は下側フォーク３１の長さより長い軸方向延長部を有する。加えて、下側フォーク３１には、その前端部に上昇斜面３２が設けられている。
【００２８】
作動要素２９が差込み舌部１６の挿入側からクロージャハウジング１１に押し込まれる場合には、軸方向に突出する上側フォーク３０がまず、安全要素２１の作動ストップ２３を押し付けて止まり、この作動ストップは、安全要素２１の安全位置に立ち上がっている。さらに押し込むと、安全要素２１は、安全位置から休止位置の方向に反時計回りに回転する。それによって、このように作動要素２９を押し込んでいる間に、上昇斜面３２を備えた下側フォーク３１が、挿入方向に対して斜めに立っているロック要素２０と接触し、ロック要素を差込み舌部１６の係止凹部１９から外に、時計回りに持ち上げる。これに続いて、差込み舌部１６は作動要素２９とともに、クロージャハウジング１１から引き出される。この過程は、張力がかかったばね２５によって支持される。ばねは、次に、大部分が弛緩し、差込み舌部１６の新たな挿入過程に利用できる。
【００２９】
本発明のさらなる実施形態では、作動要素はまた、横方向に、すなわち、クロージャハウジング１１のハウジングプレート１２によって画定された面に対して直角に、クロージャハウジング１１に取り付けでき、それによって、作動要素が回転することにより、安全要素２１を安全位置（図３）から外に、休止位置（１）の方向に回転させ、およびロック要素２０を係止位置（図３）と解放位置（図１）との間で傾かせる、突条部が作動要素上に設けられる。
【００３０】
上記の説明、特許請求の範囲、要約および図面で開示されたこれらの文献の主題の特徴は、本発明を様々な実施形態において実現するために、基本的には個別であってもよく、および任意に相互に組み合わせてもよい。
【図１】
0005404647.tif 000002
【図２】
0005404647.tif 000003
【図３】
0005404647.tif 000004
【図４】
0005404647.tif 000005
【図５】
0005404647.tif 000006